(57)【要約】      （修正有）【課題】電子カメラからデータ転送した後、そのまま放置しておいた際に、２次電池に充電されないままとなることなく、適切に充電を行うようにする。【解決手段】着脱可能な２次電池を備える電子カメラと、電子カメラと相互に接続可能で、少なくとも電子カメラに装着された２次電池への充電供給と電子カメラへの電源供給とのいずれかを行い、外部機器と相互に接続可能な充電機器とからなるカメラシステムであって、２次電池への充電供給と電子カメラへの電源供給とのどちらを行うかを制御する制御手段と、電子カメラから、充電機器を介して外部機器へデータ転送が行われていることを検知する検知手段とを備え、制御手段は、電子カメラの電源がＯＮされる場合には、電子カメラへの電源供給を優先し、検知手段により所定の時間以上データ転送の検知が行われない場合には、電子カメラへの電源供給を中止し、２次電池への充電供給を行う。【選択図】      図１
2004246174.tif 000002
【特許請求の範囲】
【請求項１】
着脱可能な２次電池を備える電子カメラと、前記電子カメラと相互に接続可能で、少なくとも前記電子カメラに装着された前記２次電池への充電供給と前記電子カメラへの電源供給とのいずれかを行い、外部機器と相互に接続可能な充電機器とからなるカメラシステムであって、
前記２次電池への充電供給と前記電子カメラへの電源供給とのどちらを行うかを制御する制御手段と、
前記電子カメラから、前記充電機器を介して前記外部機器へデータ転送が行われていることを検知する検知手段とを備え、
前記制御手段は、前記電子カメラの電源がＯＮされる場合には、前記電子カメラへの電源供給を優先し、前記検知手段により所定の時間以上前記データ転送の検知が行われない場合には、前記電子カメラへの電源供給を中止し、前記２次電池への充電供給を行う
ことを特徴とするカメラシステム。
【請求項２】
請求項１に記載のカメラシステムにおいて、
前記制御手段は、前記電子カメラへの電源供給を中止する前に、前記電源供給を中止することを前記外部機器に報知する報知部を備える
ことを特徴とするカメラシステム。
【請求項３】
請求項１に記載のカメラシステムにおいて、
前記充電機器は、前記電子カメラに着脱可能な予備の２次電池を前記充電機器本体に着脱可能で、かつ、前記予備の２次電池を装着した状態で前記予備の２次電池への充電供給が可能であり、
前記制御手段は、前記電子カメラに装着された前記２次電池への充電供給により前記２次電池の充電が完了すると、前記予備の２次電池への充電供給を行うよう制御する
ことを特徴とするカメラシステム。
【発明の詳細な説明】
【０００１】
【発明の属する技術分野】
本発明は、着脱可能な２次電池を備える電子カメラと、電子カメラおよび外部機器と相互に接続可能な充電機器とからなるカメラシステムに関する。
【０００２】
【従来の技術】
従来より、電子カメラおよびコンピュータと相互に接続した状態で電子カメラ内の２次電池の充電と電子カメラからコンピュータへのデータ転送とが可能な充電機器が知られている（例えば、特許文献１参照）。このような電子カメラ、充電機器、コンピュータでは、電子カメラと充電機器とが接続された状態で、電子カメラの電源がＯＦＦされていると、充電機器から２次電池への充電供給が行われ、電子カメラの電源がＯＮされていると、データ転送に備えて、充電機器から電子カメラへの電源供給が行われる。
【０００３】
【特許文献１】
特開２００２−２１８２８６号公報
【０００４】
【発明が解決しようとする課題】
しかし、前述した電子カメラ、充電機器、コンピュータでは、データ転送が終了した後に、何らかの動作（例えば、電子カメラの電源ＯＦＦなど）を行わない限り、２次電池への充電供給は行われない。そのため、データ転送後に、そのまま充電機器と電子カメラとを接続しておいても充電は開始されず、次に電子カメラを充電機器から取り外して使用する際に、充電が完了されていない場合があった。
【０００５】
本発明は上記した問題に鑑みてなされたものであり、電子カメラからコンピュータへのデータ転送と電子カメラの２次電池への充電とを効率良く行うことができるカメラシステムを提供することを目的とする。
【０００６】
【課題を解決するための手段】
請求項１に記載のカメラシステムは、着脱可能な２次電池を備える電子カメラと、前記電子カメラと相互に接続可能で、少なくとも前記電子カメラに装着された前記２次電池への充電供給と前記電子カメラへの電源供給とのいずれかを行い、外部機器と相互に接続可能な充電機器とからなるカメラシステムであって、前記２次電池への充電供給と前記電子カメラへの電源供給とのどちらを行うかを制御する制御手段と、前記電子カメラから、前記充電機器を介して前記外部機器へデータ転送が行われていることを検知する検知手段とを備え、前記制御手段は、前記電子カメラの電源がＯＮされる場合には、前記電子カメラへの電源供給を優先し、前記検知手段により所定の時間以上前記データ転送の検知が行われない場合には、前記電子カメラへの電源供給を中止し、前記２次電池への充電供給を行うことを特徴とする。
【０００７】
請求項２に記載のカメラシステムは、請求項１に記載のカメラシステムにおいて、前記制御手段は、前記電子カメラへの電源供給を中止する前に、前記電源供給を中止することを前記外部機器に報知する報知部を備えることを特徴とする。請求項３に記載のカメラシステムは、請求項１に記載のカメラシステムにおいて、前記充電機器は、前記電子カメラに着脱可能な予備の２次電池を前記充電機器本体に着脱可能で、かつ、前記予備の２次電池を装着した状態で前記予備の２次電池への充電供給が可能であり、前記制御手段は、前記電子カメラに装着された前記２次電池への充電供給により前記２次電池の充電が完了すると、前記予備の２次電池への充電供給を行うよう制御することを特徴とする。
【０００８】
【発明の実施の形態】
以下、本発明の実施形態について詳細な説明を行う。
図１は、本発明の実施形態におけるカメラシステムの構成を示すブロック図である。図１において、実線の矢印は情報の流れを示し、破線は電気的な接続を示している。はじめに情報の流れについて説明し、その後、電気的な接続について説明する。
【０００９】
本実施形態のカメラシステム１は、図１に示すように、電子カメラ１０、充電機器２０、外部機器であるコンピュータ３０とで構成される。
電子カメラ１０は、撮像部１１、制御部１２、記録部１３および外部インタフェース部１４を備え、撮像部１１、記録部１３および外部インタフェース部１４は制御部１２と相互に接続される。また、電子カメラ１０は、レリーズボタンなどを含む操作部１５を備え、操作部１５に含まれるボタン等の状態を示す信号は制御部１２に入力される。
【００１０】
また、電子カメラ１０は、着脱可能な２次電池であるカメラ内２次電池１６を内部に備える。なお、カメラ内２次電池１６が電子カメラ１０内に充填されているか否かは、制御部１２により検知される。
なお、撮像部１１は、不図示のレンズ、被写体の輝度や明るさなどを測定する各種センサ、ＣＣＤ撮像素子などの光電変換素子、Ａ／Ｄ変換器などを備える。また、制御部１２には、電子カメラ１０における処理を実現するためのプログラムが予め記録されており、電子カメラ１０では、制御部１２によってこれらのプログラムを実行することにより被写体像の撮影や画像の転送などが行われる。
【００１１】
以上説明したような構成の電子カメラ１０において、不図示の電源ボタンが「ＯＮ」されると、制御部１２はこれを検知し、動作を開始する。
そして、撮影の実行が指示されると、制御部１２は、撮像部１１を介して被写体像の撮像を行い、所定の画像処理を施して、記録部１３に記録する。また、制御部１２は、後述する充電機器２０からの指示に従って、記録部１３から画像を読み出し、外部インタフェース部１４を介して読み出した画像を転送する。
【００１２】
充電機器２０は、制御部２１、カメラ内２次電池充電回路２２、予備２次電池充電回路２３、電源供給切替部２４および外部インタフェース部２５を備え、カメラ内２次電池充電回路２２、予備２次電池充電回路２３、電源供給切替部２４および外部インタフェース部２５は、制御部２１と相互に接続される。外部インタフェース部２５は、前述した電子カメラ１０の外部インタフェース部１４と相互に接続可能であり、電子カメラ１０と充電機器２０とが接続されると、電子カメラ１０の外部インタフェース部１４と充電機器２０の外部インタフェース部２５とが自動的に接続される。
【００１３】
また、充電機器２０は、後述する転送ボタンなどを含む操作部２６を備え、操作部２６に含まれるボタン等の状態を示す信号は制御部２１に入力される。
また、充電機器２０は、着脱可能な２次電池である予備２次電池２７を内部に備える。なお、予備２次電池２７は、前述したカメラ内２次電池１６と同じものであり、電子カメラ１０用の予備の２次電池として用いられる。また、予備２次電池２７が充電機器２０内に充填されているか否かは、制御部２１により検知される。
【００１４】
なお、制御部２１には、充電機器２０における処理を実現するためのプログラムが予め記録されており、充電機器２０では、制御部２１によってこれらのプログラムを実行することにより電子カメラ１０への電源供給や電子カメラ１０からのデータ転送などが行われる。また、制御部２１内には不図示のタイマが設けられる（詳細は後述する）。
【００１５】
また、充電機器２０は、外部のＡＣアダプタ１００と電気的に接続される（詳細は後述する）。
以上説明したような構成の充電機器２０は、ＡＣアダプタ１００により電源供給が行われると、制御部２１がこれを検知し、動作を開始する。
そして、制御部２１は、電子カメラ１０への電源供給や、カメラ内２次電池１６、予備２次電池２７への充電供給、さらに、電子カメラ１０から後述するコンピュータ３０への画像の転送などを行う。
【００１６】
コンピュータ３０は、制御部３１と外部インタフェース部３２を備え、これらは相互に接続される。外部インタフェース部３２は、前述した充電機器２０の外部インタフェース部２５と相互に接続可能である。なお、コンピュータ３０は、不図示の表示部や操作部なども備える。
【００１７】
なお、制御部２１，電源供給切替部２４は、請求項の「制御手段」に対応し、制御部２１は、請求項の「検知手段」に対応する。
次に、電気的な接続について説明する。
ＡＣアダプタ１００による電源電圧は、充電機器２０の制御部２１と電源供給切替部２４とに供給される。
【００１８】
制御部２１に供給された電源電圧は、充電機器２０の動作のために使われる。また、電源供給切替部２４に供給された電源電圧は、制御部２１からの指示にしたがって、カメラ内２次電池充電回路２２、予備２次電池充電回路２３、および電子カメラ１０の制御部１２のいずれかに供給される（詳細は後述する）。
カメラ内２次電池充電回路２２に供給された電源電圧は、電子カメラ１０と充電機器２０とが相互に接続された状態でカメラ内２次電池１６に充電供給され、予備２次電池充電回路２３に供給された電源電圧は、充電機器２０に予備２次電池２７が充填された状態で予備２次電池２７に充電供給される。なお、カメラ内２次電池１６および予備２次電池２７の充電状態（どの程度充電されているか）は、それぞれ、カメラ内２次電池充電回路２２および予備２次電池充電回路２３により検出可能である。
【００１９】
また、電子カメラ１０と充電機器２０とが相互に接続された状態で電子カメラ１０の制御部１２に供給された電源電圧は、電子カメラ１０の動作のために使われる。なお、撮影時など、電子カメラ１０と充電機器２０とが相互に接続されていない状態では、カメラ内２次電池１６から電子カメラ１０の制御部１２に対して電源電圧が供給される。
【００２０】
以下、本発明の特徴である、電子カメラ１０と充電機器２０とが相互に接続された場合の充電機器２０の制御部２１の動作について説明する。なお、電子カメラ１０は電源がＯＦＦ状態であり、充電機器２０には予めコンピュータ３０とＡＣアダプタ１００とが接続されているものとして、以下の説明を行う。
【００２１】
電子カメラ１０と充電機器２０とが相互に接続されると、ステップＳ１において、制御部２１は、電子カメラ１０の電源がＯＮされたか否かを判定する。制御部２１は、電源がＯＮされた場合には、ステップＳ２に進み、ＯＮされない場合には、ステップＳ１１に進む。
ステップＳ２において、制御部２１は、電子カメラ１０への電源供給を開始する。すなわち、制御部２１は、電源供給切替部２４を介して、ＡＣアダプタ１００から供給された電源電圧を、電子カメラ１０の制御部１２に供給する。電子カメラ１０の制御部１２は、電源供給切替部２４から電源電圧が供給されると、所定の初期動作を行う。
【００２２】
ステップＳ３において、制御部２１は、制御部２１内の不図示のタイマをスタートする。なお、不図示のタイマには所定の時間（例えば３０秒）が予め設定されている。
ステップＳ４において、制御部２１は、制御部２１内の不図示のタイマがタイマアップしたか否かを判定する。制御部２１は、タイマアップした場合には、ステップＳ５に進み、タイマアップしない場合には、ステップＳ７に進む。
【００２３】
ステップＳ５において、制御部２１は、コンピュータ３０に対して、外部インタフェース部２５および外部インタフェース部３２を介して、電子カメラ１０（の制御部１２）への電源供給を中止することを報知する。コンピュータ３０の制御部３１は、電子カメラ１０への電源供給を中止することが報知されると、所定の動作（例えば、画像取込アプリケーションの終了など）を行う。
【００２４】
ステップＳ６において、制御部２１は、電子カメラ１０の制御部１２への電源供給を中止する。すなわち、制御部２１は、電源供給切替部２４を介して、ＡＣアダプタ１００から供給された電源電圧の電子カメラ１０（の制御部１２）に対する供給を中止する。電子カメラ１０の制御部１２は、電源供給切替部２４から電源電圧の供給が中止されると、電子カメラ１０の電源をＯＦＦする。
【００２５】
ステップＳ４においてタイマアップしていない場合には、ステップＳ７において、制御部２１は、電子カメラ１０の電源がＯＮされているか否かを判定する。制御部２１は、電源がＯＮされている場合には、ステップＳ８に進み、ＯＮされていない場合（ＯＦＦされた場合）には、ステップＳ１１に進む。
ステップＳ８において、制御部２１は、データ転送が開始されたか否かを判定する。データ転送は、充電機器２０の操作部２６に備えられた不図示の転送ボタンが押圧されることにより開始される。データ転送が開始された場合には、制御部２１は、外部インタフェース部２５および外部インタフェース部１４を介して、電子カメラ１０の制御部１２へデータ転送開始の指示を行い、ステップＳ９に進む。一方、データ転送が開始されない場合には、制御部２１は、ステップＳ４に戻り、タイマアップする（ステップＳ４Ｙｅｓ）か、カメラの電源がＯＦＦされる（ステップＳ７Ｎｏ）か、データ転送が開始される（ステップＳ８Ｙｅｓ）まで、各処理を繰り返す。
【００２６】
ステップＳ９において、制御部２１は、制御部２１内の不図示のタイマをリセットする。
ステップＳ１０において、制御部２１は、データ転送が終了したか否かを判定する。そして、制御部２１は、データ転送が終了するまでステップＳ１０を繰り返し、データ転送が終了するとステップＳ３に戻り、ステップＳ３からの処理を繰り返す。
【００２７】
ステップＳ１１において、制御部２１は、電子カメラ１０に、カメラ内２次電池１６が充填されているか否かを判定する。制御部２１は、外部インタフェース部２５および外部インタフェース部１４を介して、電子カメラ１０の制御部１２にカメラ内２次電池１６が充填されているか否かを検知させ、カメラ内２次電池１６が充填されている場合には、ステップＳ１２に進み、カメラ内２次電池１６が充填されていない場合には、ステップＳ１７に進む。
【００２８】
ステップＳ１２において、制御部２１は、カメラ内２次電池１６の充電が完了しているか否かを判定する。制御部２１は、カメラ内２次電池充電回路２２を介して、カメラ内２次電池１６の充電状態を検出し、充電が完了している場合には、ステップＳ１７に進み、充電が完了していない場合には、ステップＳ１３に進む。
【００２９】
ステップＳ１３において、制御部２１は、カメラ内２次電池１６への充電供給を開始する。すなわち、制御部２１は、電源供給切替部２４を介して、ＡＣアダプタ１００から供給された電源電圧を、カメラ内２次電池充電回路２２に供給する。カメラ内２次電池充電回路２２は、電源供給切替部２４から電源電圧が供給されると、カメラ内２次電池１６への充電供給を行う。
【００３０】
ステップＳ１４において、制御部２１は、カメラ内２次電池１６の充電が完了しているか否かを判定する。制御部２１は、ステップＳ１２と同様に判定を行い、充電が完了している場合には、カメラ内２次電池１６への充電供給を終了して、ステップＳ１７に進み、充電が完了していない場合には、ステップＳ１５に進む。
【００３１】
ステップＳ１５において、制御部２１は、電子カメラ１０の電源がＯＮされたか否かを判定する。制御部２１は、電子カメラ１０の電源がＯＮされた場合には、ステップＳ１６に進む。一方、電子カメラ１０の電源がＯＮされない場合には、制御部２１は、ステップＳ１４に戻り、カメラ内２次電池１６の充電が完了する（ステップＳ１４Ｙｅｓ）か、電子カメラ１０の電源がＯＮされる（ステップＳ１５Ｙｅｓ）まで、各処理を繰り返す。
【００３２】
ステップＳ１６において、制御部２１は、カメラ内２次電池１６への充電供給を中止する。すなわち、制御部２１は、電源供給切替部２４を介して、ＡＣアダプタ１００からカメラ内２次電池充電回路２２への充電供給を中止する。そして、制御部２１は、ステップＳ２に戻り、ステップＳ２からの処理を繰り返す
すなわち、カメラ内２次電池１６の充電中であっても、電子カメラ１０の電源がＯＮされた場合には、制御部２１は、カメラ内２次電池１６への充電供給を中止し、データ転送に備えて、電子カメラ１０への電源供給を開始する。
【００３３】
カメラ内２次電池１６が充填されていない（ステップＳ１１Ｎｏ）か、カメラ内２次電池１６の充電が完了した（ステップＳ１２ＹｅｓまたはステップＳ１４Ｙｅｓ）場合、ステップＳ１７において、制御部２１は、電子カメラ１０の電源がＯＮされたか否かを判定する。制御部２１は、電子カメラ１０の電源がＯＮされた場合には、ステップＳ２に戻り、ステップＳ２からの処理を繰り返し、電源がＯＮされない場合には、ステップＳ１８に進む。
【００３４】
ステップＳ１８において、制御部２１は、充電機器２０に予備２次電池２７が充填されているか否かを判定する。制御部２１は、充電機器２０に予備２次電池２７が充填されているか否かを検知し、予備２次電池２７が充填されている場合には、ステップＳ１９に進み、予備２次電池２７が充填されていない場合には、一連の処理を終了する。
【００３５】
ステップＳ１９において、制御部２１は、予備２次電池２７の充電が完了しているか否かを判定する。制御部２１は、予備２次電池充電回路２３を介して、予備２次電池２７の充電状態を検出し、充電が完了している場合には、一連の処理を終了し、充電が完了していない場合には、ステップＳ２０に進む。
ステップＳ２０において、制御部２１は、予備２次電池２７への充電供給を開始する。すなわち、制御部２１は、電源供給切替部２４を介して、ＡＣアダプタ１００から供給された電源電圧を、予備２次電池充電回路２３に供給する。予備２次電池充電回路２３は、電源供給切替部２４から電源電圧が供給されると、予備２次電池２７への充電供給を行う。
【００３６】
ステップＳ２１において、制御部２１は、予備２次電池２７の充電が完了しているか否かを判定する。制御部２１は、ステップＳ１９と同様に判定を行い、充電が完了している場合には、予備２次電池２７への充電供給を終了して、一連の処理を終了し、充電が完了していない場合には、ステップＳ２２に進む。
ステップＳ２２において、制御部２１は、電子カメラ１０の電源がＯＮされたか否かを判定する。制御部２１は、電子カメラ１０の電源がＯＮされた場合には、ステップＳ２３に進む。一方、電子カメラ１０の電源がＯＮされない場合には、制御部２１は、ステップＳ２１に戻り、予備２次電池２７の充電が完了する（ステップＳ２１Ｙｅｓ）か、電子カメラ１０の電源がＯＮされる（ステップＳ２２Ｙｅｓ）まで、各処理を繰り返す。
【００３７】
ステップＳ２３において、制御部２１は、予備２次電池２７への充電供給を中止する。すなわち、制御部２１は、電源供給切替部２４を介して、ＡＣアダプタ１００から予備２次電池充電回路２３への充電供給を中止する。そして、制御部２１は、ステップＳ２に戻り、ステップＳ２からの処理を繰り返す。
すなわち、予備２次電池２７の充電中であっても、電子カメラ１０の電源がＯＮされた場合には、制御部２１は、予備２次電池２７への充電供給を中止し、データ転送に備えて、電子カメラ１０への電源供給を開始する。
【００３８】
以上説明したように、本実施形態によれば、データ転送が所定の時間以上行われていないことを検知すると、電子カメラへの電源供給が中止され、２次電池への充電供給が開始されるため、データ転送のための電源供給と２次電池への充電供給とを効率良く行うことができる。そのため、データ転送が終了した後に、何らかの動作を行わなくても、自動的に２次電池への充電供給が開始されるので、充電不足や充電不良といった問題を回避することができる。
【００３９】
また、本実施形態によれば、電子カメラへの電源供給が中止される前に、電源供給を中止することをコンピュータに対して報知するので、コンピュータは画像取込アプリケーションの終了などの対応をすることができる。
また、本実施形態によれば、充電機器に予備のカメラ用２次電池を着脱可能であるため、充電機器に２次電池が充填された電子カメラを接続して、充電機器に予備の２次電池をセットしておくと、２つの２次電池の充電を行うことができる。このとき、電子カメラへの電源供給を優先しつつ、電子カメラに充填された２次電池への充電供給を行い、その後さらに、予備の２次電池への充電供給が行われるので、２つの２次電池の充電を完全に行うことができる。
【００４０】
また、本実施形態によれば、２次電池の充電中であっても、電子カメラの電源がＯＮされた場合には、２次電池への充電供給が中止され、電子カメラへの電源供給が開始される。そのため、充電中であってもデータ転送を優先的に行うことができる。そして、データ転送が終了した後は、前述したように所定時間が過ぎると自動的に充電が開始（再開）されるため、充電不足や充電不良といった問題を回避することができる。
【００４１】
なお、本実施形態では、充電機器２０の制御部２１が行った各制御を、電子カメラ１０の制御部１２が行うようにしても良い。また、コンピュータ３０の制御部３１が、充電機器２０の制御部２１および電子カメラ１０の制御部１２に対して指示を行うことが可能であれば、本実施形態では充電機器２０の制御部２１が行った各制御を、コンピュータ３０の制御部３１が行うようにしても良い。
【００４２】
また、本実施形態では、充電機器２０と接続される外部機器がコンピュータ３０である例を示したが、充電機器２０と接続されるのはプリンタ、表示装置、携帯端末など、データ転送を行うことができる他の機器であっても良い。
また、本実施形態では、データ転送開始のための転送ボタンが、充電機器２０の操作部２６に設けられている例を示したが、転送ボタンは、電子カメラ１０の操作部１５に設けられていても良いし、コンピュータ３０の不図示の操作部に設けられていても良い。
【００４３】
また、本実施形態では、充電機器２０の制御部２１内の不図示のタイマには所定の時間が設定されている例を示したが、タイマの時間をユーザにより設定可能にしても良い。
【００４４】
また、本実施形態では、電子カメラ１０に着脱可能なカメラ内２次電池１６は電子カメラ１０の内部に充填される形態である例を示したが、外部に露出する形態（はめ込み型など）であっても良い。また、充電機器２０に着脱可能な予備２次電池２７についても同様に、外部に露出する形態（はめ込み型など）であっても良い。
【００４５】
また、本実施形態では、電源がＯＦＦ状態の電子カメラ１０と充電機器２０とが相互に接続された場合を例に挙げて説明を行った（図２および図３）が、電源がＯＮ状態の電子カメラ１０と充電機器２０とが相互に接続された場合には、図２のステップＳ２の処理から開始するようにすれば良い。
【００４６】
【発明の効果】
以上説明したように、本発明によれば、電子カメラからコンピュータへのデータ転送と電子カメラの２次電池への充電とを効率良く行うことができるカメラシステムを提供することができる。
【図面の簡単な説明】
【図１】本実施形態のカメラシステムの構成を示すブロック図である。
【図２】本実施形態のカメラシステムにおける制御部の動作を示すフローチャートである。
【図３】本実施形態のカメラシステムにおける制御部の動作を示すフローチャートである。
【符号の説明】
１  カメラシステム
１０  電子カメラ
１１  撮像部
１２，２１，３１  制御部
１３  記録部
１４，２５，３２  外部インタフェース部
１５，２６  操作部
１６  カメラ内２次電池
２０  充電機器
２２  カメラ内２次電池充電回路
２３  予備２次電池充電回路
２４  電源供給切替部
２７  予備２次電池
３０  コンピュータ
１００  ＡＣアダプタ
【図１】
2004246174.tif 000003
【図２】
2004246174.tif 000004
【図３】
2004246174.tif 000005